(57)【要約】      （修正有）【課題】排気ガスから、水を利用して油煙の固形物を取り出すことができる排煙処理装置を提供する。【解決手段】排煙処理装置は、廃棄物を焼却する焼却装置２の排気ガスを導く通路１と、この通路１からの前記排気ガスを受け入れる処理室３と、この処理室３内に垂下するように設けられたフィルター４と、このフィルター４を散水するように処理室３内に設けられた散水部５と、処理室３内の気体を外気に排出する排気通路６と、処理室３内の水を受け入れる逆円錐形状の逆円錐室７と、この逆円錐室７内に水を供給する水供給手段８と、逆円錐室７内の液体を逆円錐室７外へ排出する排水通路９と、逆円錐室７の底部に設けられた開閉弁１０と、この開閉弁１０の開閉を制御する制御手段１１とを備え、制御手段１１により開閉弁１０を開いて、逆円錐室７内で生じた油煙の固形物を排出するものである。【選択図】図１
0003212759.tif 000002
【実用新案登録請求の範囲】
【請求項１】
廃棄物を焼却する焼却装置の排気ガスを導く通路と、
この通路からの前記排気ガスを受け入れる処理室と、
この処理室内に垂下するように設けられたフィルターと、
このフィルターを散水するように前記処理室内に設けられた散水部と、
前記処理室内の気体を外気に排出する排気通路と、
前記処理室内の水を受け入れる逆円錐形状の逆円錐室と、
この逆円錐室内に水を供給する水供給手段と、
前記逆円錐室内の液体を前記逆円錐室外へ排出する排水通路と、
前記逆円錐室の底部に設けられた開閉弁と、
この開閉弁の開閉を制御する制御手段とを備え、
前記制御手段により前記開閉弁を開いて、前記逆円錐室内で生じた油煙の固形物を排出する
ことを特徴とする排煙処理装置。
【請求項２】
廃棄物は、合成樹脂、食品残渣、下水汚泥、屎尿汚泥、製紙汚泥の内、何れか一つであり、
排水通路の一端は、開閉弁の上方位置にあり、前記排水通路の他端は、第２の処理室に臨むように設けられ、
前記排水通路には、排水ポンプが設けられ、
前記第２の処理室の液面に一部が没するようにローラが、このローラに当接すると共に、前記液面の上に位置する転写ローラが、それぞれ設けられ、
前記転写ローラ面に付着した軽量異物を掻き取る掻き取り部材を設けた
ことを特徴とする請求項１記載の排煙処理装置。
【請求項３】
ローラの転写ローラが当接する外周面が透水部材で形成されている
ことを特徴とする請求項２記載の排煙処理装置。
【請求項４】
ローラ内に流れ込んだ水を水供給手段の水に利用する
ことを特徴とする請求項３記載の排煙処理装置。
【考案の詳細な説明】
【技術分野】
【０００１】
本考案は、排煙処理装置に係り、特に、排気ガスから、水を利用して油煙の固形物を取り出すことができる排煙処理装置に関する。
【背景技術】
【０００２】
不要となった廃棄物、例えば、合成樹脂を処分する場合、焼却して処分することが考えられる。
【考案の概要】
【考案が解決しようとする課題】
【０００３】
ところが、廃棄物、例えば、合成樹脂を焼却すると、黒煙を生じ、そのまま排気することができないという問題点があった。
【０００４】
本考案は、上記の問題点を考慮してなされた排煙処理装置を提供することにある。
【課題を解決するための手段】
【０００５】
請求項１記載の排煙処理装置は、廃棄物を焼却する焼却装置の排気ガスを導く通路と、この通路からの前記排気ガスを受け入れる処理室と、この処理室内に垂下するように設けられたフィルターと、このフィルターを散水するように前記処理室内に設けられた散水部と、前記処理室内の気体を外気に排出する排気通路と、前記処理室内の水を受け入れる逆円錐形状の逆円錐室と、この逆円錐室内に水を供給する水供給手段と、前記逆円錐室内の液体を前記逆円錐室外へ排出する排水通路と、前記逆円錐室の底部に設けられた開閉弁と、この開閉弁の開閉を制御する制御手段とを備え、前記制御手段により前記開閉弁を開いて、前記逆円錐室内で生じた油煙の固形物を排出するものである。
【０００６】
また、請求項２記載の排煙処理装置は、請求項１記載の排煙処理装置において、廃棄物は、合成樹脂、食品残渣、下水汚泥、屎尿汚泥、製紙汚泥の内、何れか一つであり、排水通路の一端は、開閉弁の上方位置にあり、前記排水通路の他端は、第２の処理室に臨むように設けられ、前記排水通路には、排水ポンプが設けられ、前記第２の処理室の液面に一部が没するようにローラが、このローラに当接すると共に、前記液面の上に位置する転写ローラが、それぞれ設けられ、前記転写ローラ面に付着した軽量異物を掻き取る掻き取り部材を設けたものである。
【０００７】
また、請求項３記載の排煙処理装置は、請求項２記載の排煙処理装置において、ローラの転写ローラが当接する外周面が透水部材で形成されているものである。
【０００８】
また、請求項４記載の排煙処理装置は、請求項３記載の排煙処理装置において、ローラ内に流れ込んだ水を水供給手段の水に利用するものである。
【考案の効果】
【０００９】
請求項１記載の排煙処理装置によれば、廃棄物を焼却する焼却装置の排気ガスを導く通路と、この通路からの前記排気ガスを受け入れる処理室と、この処理室内に垂下するように設けられたフィルターと、このフィルターを散水するように前記処理室内に設けられた散水部と、前記処理室内の気体を外気に排出する排気通路と、前記処理室内の水を受け入れる逆円錐形状の逆円錐室と、この逆円錐室内に水を供給する水供給手段と、前記逆円錐室内の液体を前記逆円錐室外へ排出する排水通路と、前記逆円錐室の底部に設けられた開閉弁と、この開閉弁の開閉を制御する制御手段とを備え、前記制御手段により前記開閉弁を開いて、前記逆円錐室内で生じた油煙の固形物を排出するものであるため、廃棄物を焼却する焼却装置の排気ガスから、油煙の固形物を取り出すことができる。
【００１０】
また、請求項２記載の排煙処理装置によれば、上述した請求項１記載の考案の効果に加え、逆円錐室内の軽量異物を排水通路、転写ローラ、掻き取り部材を介して分離することができる。
【００１１】
また、請求項３記載の排煙処理装置によれば、上述した請求項２記載の考案の効果に加え、ローラの転写ローラが当接する外周面が透水部材で形成されているため、ローラの転写ローラが当接する外周面に軽量異物を捕捉することができる。
【００１２】
また、請求項４記載の排煙処理装置によれば、上述した請求項３記載の考案の効果に加え、ローラ内に流れ込んだ水を水供給手段の水に利用するため、水を効率良く使用することができる。
【図面の簡単な説明】
【００１３】
【図１】図１は、本考案の一実施例の排煙処理装置の概略的図である。
【考案を実施するための形態】
【００１４】
本考案の一実施例の排煙処理装置を図１を参照して説明する。
図１に示すＨは排煙処理装置で、排煙処理装置Ｈは、排気ガスから、水を利用して油煙の固形物を取り出すことができるものである。
【００１５】
１は、廃棄物を焼却する焼却装置２の排気ガスを導く通路である。この通路１からの排気ガスは、処理室３に受け入れられる。
なお、廃棄物は、例えば、合成樹脂、食品残渣、下水汚泥、屎尿汚泥、製紙汚泥の内、何れか一つである。
処理室３内には、フィルター４、４、４が垂下するように設けられ、また、このフィルター４、４、４を散水するように散水部５（具体的には、シャワー水）が処理室５内に設けられている。処理室３内の気体は、排気通路６により外気に排出される。６１は、排気通路６に設けられた排気ファンである。
【００１６】
７は、処理室３内の水を受け入れる逆円錐形状の逆円錐室で、逆円錐室７内には、水を供給する水供給手段８が設けられている。また、９は、逆円錐室７内の液体を逆円錐室７外へ排出する排水通路である。１０は、逆円錐室７の底部に設けられた開閉弁で、この開閉弁１０は、制御手段１１により開閉を制御するようになっている。
制御手段１１により開閉弁１０を開として、塊状となった油煙を油煙タンク２２へと導くようにしている。
なお、排水通路９の一端は、開閉弁１０の上方位置にあり、排水通路９の他端は、第２の処理室１２に臨むように設けられ、排水通路９には、排水ポンプ９１が設けられている。
【００１７】
第２の処理室１２の液面に一部が没するようにローラ１３が、このローラ１３に当接すると共に、前記液面の上に位置する転写ローラ１４が、それぞれ設けられ、転写ローラ１４面に付着した軽量異物を掻き取る掻き取り部材１５を設けている。
ローラ１３の転写ローラ１４が当接する外周面が透水部材で形成されている。これは、ローラ１３の転写ローラ１４が当接する外周面に軽量異物を捕捉するためである。
また、水を効率良く使用するために、ローラ１３内に流れ込んだ水を水供給手段８の水に利用するようにしている。
ローラ１３内に流れ込んだ水は、通路１６を介して循環タンク１７に導かれる。循環タンク１７内の水は、通路１７１により水供給手段８、散水通路５１へと導かれ、処理室３、逆円錐室７、排水通路９、通路１６を介して循環タンク１７に導かれるようになっている。
【００１８】
１８は軽量異物タンクで、軽量異物タンク１８により固形分と液体に分離され、固形分は、通路１９を介してスラッジタンク２０に、液体は、通路２１を介して循環タンク１７に導かれるようになっている。
【００１９】
従って、上述した排煙処理装置Ｈによれば、廃棄物を焼却する焼却装置２の排気ガスは、通路１を介して処理室３に受け入れられる。排気ガスは、フィルター４、４、４を通過し、排気通路６を介して外気に排出される。通過しきれない油煙は、フィルター４、４、４により阻害され、散水部５の散水により処理室３の下部へと導かれる。
逆円錐室７に導かれた油煙は、水供給手段８、排水通路９により生じる逆円錐室７内の渦流により、逆円錐室７内の油煙は、塊状となり逆円錐室７の下方へと導かれ、油煙タンク２２へと導かれる。
このようにして、廃棄物を焼却する焼却装置２の排気ガスから、油煙の固形物を取り出すことができる。
【符号の説明】
【００２０】
Ｈ      排煙処理装置
１      通路
２      焼却装置
３      処理室
４      フィルター
５      散水部
６      排気通路
７      逆円錐室
８      水供給手段
９      排水通路
１０    開閉弁
１１    制御手段
【図１】
0003212759.tif 000003